(57)【要約】      （修正有）【課題】底物魚を釣る際、海・湖・川・ダム湖の底にある物岩・流木・海草・サンゴ等に釣り針・おもりが根かかるのを防止する根かかり防止器具を提供する。【解決手段】釣り具根かかり防止器具は、釣り針錐体筒１が釣り針を保護し根かかりを防止し、また、上下可能なおもりをおもり錐体筒１で覆い根かかりを防止する。釣り人が遠投時と底に向かって沈む時は、上下可能なおもりが、おもり錐体筒１と上下移動可能な保持部を釣り針と反対方向に押し広げ、釣り針錐体筒と釣り針の間隔を保持する。釣り人が道糸を引き寄せると、おもり錐体筒１と釣り針錐体筒１は、水圧に押され、所定の位置に止まろうとしつつ、浮上しつつ、引き寄せられた釣り針は、釣り針錐体筒１に挿入されて、釣り針の根かかりが防止され、浮上することで、おもり錐体筒１も上下移動可能なおもりの根かかりが防止される。【選択図】図１
2018174936.tif 000002
【特許請求の範囲】
【請求項１】
釣り針錐体筒の釣り具根かかり防止器具であって、
前記釣り針錐体筒は、下方が広く上方が狭い筒状で、
水圧を受けて根かかり防止が出来る事を特徴とした釣り具根かかり防止器具。
【請求項２】
請求項１の記載釣り具根かかり防止器具を、さらに、
道糸を挿通し、釣り針の上方に配置させて形成され、
海底等で魚が餌を食べる環境は、前記釣り針錐体筒は餌をつけた前記釣り針より水圧を受けて遅れて着地する事で、前記釣り針と離れた位置に配置され、
引き上げる際に前記釣り針錐体筒は、水圧を受けて所定の位置に止まろうとしつつ、浮上しつつ、釣り針は、水圧が少なく引き寄せ側に引き込まれ前記釣り針錐体筒に覆われ、前記釣り針は、保護されて根かかり防止が出来る事を特徴とした請求項１の記載の釣り具根かかり防止器具。
【請求項３】
請求項１と請求項２の記載釣り具根かかり防止器具を、さらに、道糸から分岐される連動保持糸と、上下移動可能な保持部と、おもり錐体筒と、上下移動可能なおもりと、釣り針錐体筒と、釣り針とで形成され、
前記道糸は、引張強度が１番強い道糸、２番目に強い道糸、３番目に強い道糸に形成され、
釣り人側に対して、１番強い道糸、２番目に強い道糸、３番目に強い道糸の順番で形成され、
前記分岐は、１番強い道糸と２番目に強い道糸の連結部から分岐１と分岐２に分岐し、
前記分岐１は、前記２番目に強い道糸と上下移動可能な保持部とおもり錐体筒と上下移動可能なおもりと前記３番目に強い道糸と釣り針錐体筒と釣り針で形成され、
前記分岐２は、前記連動保持糸で、前記２番目に強い道糸と同等の引張強度で、前記２番目に強い道糸と前記３番目に強い道糸とを加えた長さより長く、上下移動可能な保持部で前記２番目に強い道糸を保持し、前記おもり錐体筒の挿通部を挿通し、前記釣り針錐体筒の連結部に連結して形成され、
上下移動可能な保持部は、前記連動保持糸が、前記２番目に強い道糸の前記おもり錐体筒の上部に保持して上下移動可能に形成され、
前記おもり錐体筒は、前記連動保持糸と連係できる挿通部と連結部を係合する孔を備え、前記２番目に強い道糸に挿通され上下移動可能なおもりの上部に配置され、前記連動保持糸で前記おもり錐体筒の挿通部に挿通して形成され、
前記上下移動可能なおもりは、前記２番目に強い道糸に挿通されて形成され、
前記釣り針錐体筒は、前記連動保持糸と連係できる挿通部と連結部を係合する孔を備え、前記３番目に強い道糸に挿通され前記釣り針の上部に配置され、前記連動保持糸で前記釣り針錐体筒の連結部に連結して形成され、
前記釣り針は、前記３番目に強い道糸に連結されて形成され、
釣り人が、目的の場所に遠投する際は、前記上下移動可能なおもりで前記おもり錐体筒と前記上下移動可能な保持部を釣り針と反対方向に押し広げながら所定の位置まで支持し、海底等に沈む時も同じ状態で沈み餌をつけた釣り針と前記釣り針錐体筒が離れた状態で、魚が餌を食べやすく出来、前記１番強い道糸を引き寄せると、前記１番強い道糸から分岐した分岐２の前記連動保持糸は、上下移動可能な保持部で、支持され連係と連結した前記おもり錐体筒と前記釣り針錐体筒が、水圧に押され所定の位置に止まろうとしつつ、浮上しつつ、分岐１に引き寄せられた前記釣り針は、前記釣り針錐体筒内に引き込まれ、前記釣り針の保護と根かかり防止出来る事を特徴とした請求項１と請求項２の釣り具根かかり防止器具。
【請求項４】
請求項１と請求項２と請求項３の記載釣り具根かかり防止器具を、さらに、前記１番強い道糸と前記２番目に強い道糸の連結部からの分岐１と分岐２において、
前記分岐１は、前記２番目に強い道糸と上下移動可能な保持部とおもり錐体筒と上下移動可能なおもりと１番強い道糸同等と釣り針錐体筒と釣り針で形成され
前記分岐２は、前記連動保持糸で、前記２番目に強い道糸と同等の引張強度で、前記２番目に強い道糸と前記３番目に強い道糸とを加えた長さより長く、上下移動可能な保持部で前記２番目に強い道糸を保持し、前記おもり錐体筒の挿通部を挿通し、前記釣り針錐体筒の連結部に連結して形成され、
前記１番強い道糸同等は、金属道糸にし、根かかりで切れない事を予測し、前記２番目強い道糸が切れ、前記上下移動可能なおもりは、紛失し、他の釣り具は、釣り人の元へ、回収出来る様に構成された事を特徴とした請求項１と請求項２と請求項３の釣り具根かかり防止器具。
【発明の詳細な説明】
【技術分野】
【０００１】本発明は、釣り針、おもりの根かかり防止に関し、特に海釣り・湖・川・ダム湖の底物釣りにおいて、色々な物体に釣り針・おもりが根かかりして釣り人を悩ませる事が多い、その様な悩みを解消する釣り具根かかり防止器具、釣り具根かかり防止器具は、釣り人が、道糸を引き寄せ時に、釣り針錐体筒は、水圧に押され、所定の位置に止まろうとしつつ、浮上しつつ、釣り針は、引き込まれ、保護され、根かかりを防止が出来、さらに、上下移動可能なおもりもまた海底等から浮上しつつ引き上げる事で、岩石等の隙間等に挟まり根かかりする事を防止でき、さらに、魚が、餌を食べやすく出来る様に錐体筒と間隔を保持出来、さらに、魚が、釣り針と連結する道糸を歯で噛み切るのに備え、１番強い道糸同等の金属道糸を使用し、釣り針、または、釣り針錐体筒が、根かかた時は、２番目に強い道糸が切れ上下移動可能なおもりが紛失し、他の釣り具は、手元に回収が出来、２番目に強い道糸の長さと３番目に強い道糸の長さとを加えた長さより、分岐２の連動保持糸の全長は、長いので、２番目に強い道糸、または、３番目に強い道糸が、根かかりで切れても、上下移動可能なおもり、または、釣り針の紛失で他の釣り具は、手元に回収が出来、理由は、分岐２の連動保持糸は、分岐１の長さより長いので、根かかりして引き寄せても負荷は、かからないので、分岐２の連動保持糸で保持連結され、回収機構を備えた釣り具根かかり防止器具に関する。
【背景技術】
【０００２】近年釣り人は、海、湖、川、ダム湖等での底物釣りおいて、根かかりした釣り糸・おもり・釣り針が根かかった状態で放置し、釣り場や魚の居場所に関しても良い環境でない、心痛め釣り道具を放置している釣り人が多い、根かかりを無くし、自然環境にお手伝いができる回収機能を備えた釣り具根かかり防止に使用する。
【先行技術文献】
【特許文献】
【０００３】このような状況に鑑み、特許文献１は、水に浮く装置の釣り餌を入れるコマセ収容型で、コマセ収容型の中央を釣り糸が挿通して収容型に釣り針が引き込む事で根かかり防止が出来ることを提案されている。この特許文献１によれば、コマセ収容型を水中に浮かせ釣り餌をコマセ収容型に入れた水中浮きにして釣り針をコマセ収容型に引き込んで根かかり防止する事が出来る。
【特許文献１】［出願番号］特願２０１３−２２３６５７
【発明の概要】
【発明が解決しようとする課題】
【０００４】しかしながら、特許文献１の根かかり防止は、コマセ収容型を水中に浮かせ釣り餌をコマセ収容型で水中に浮く装置の根かかり防止であって、水中に浮いた状態なので海・湖・川・ダム湖の底にある根かかる物に対しては、根かかり防止はできない。
【課題を解決するための手段】
【０００５】  （１）
釣り針錐体筒の釣り具根かかり防止器具であって、
前記釣り針錐体筒は、下方が広く上方が狭い筒状で、道糸を挿通し、
釣り針の上方に配置されて形成され、
釣り人が、遠投時は、上下移動可能なおもりで目的の位置まで遠投され、海底等に沈む時は、前記上下移動可能なおもりが先に沈み、次に餌をつけた釣り針が沈み、水圧に押されて遅れて前記釣り針錐体筒が、沈む事で、前記釣り針と距離を保てる前記釣り針錐体筒で、引き上げる際は、竿先を上方に立てて引き寄せると、前記釣り針錐体筒は、水圧に押され所定の位置に止まろうとしつつ、浮上しつつ、前記釣り針は、道糸に引き寄せられ前記釣り針錐体筒に引き込まれ覆われ、前記釣り針を保護し、根かかり防止出来る事を特徴とした釣り具根かかり防止器具
（２）
（１）の記載釣り具根かかり防止器具を、さらに、道糸と道糸から分岐される連動保持糸と、上下移動可能な保持部と、おもり錐体筒と、上下移動可能なおもりと、釣り針錐体筒と、釣り針とで形成され、
前記道糸は、引張強度が１番強い道糸、２番目に強い道糸、３番目に強い道糸に形成され、
釣り人側に対して、１番強い道糸、２番目に強い道糸、３番目に強い道糸の順番で形成され、
前記分岐は、１番強い道糸と２番目に強い道糸の連結部から分岐１と分岐２に分岐し、
前記分岐１は、前記２番目に強い道糸と上下移動可能な保持部とおもり錐体筒と上下移動可能なおもりと前記３番目に強い道糸と釣り針錐体筒と釣り針で形成され、
前記分岐２は、前記連動保持糸で、前記２番目に強い道糸と同等の引張強度で、前記２番目に強い道糸と前記３番目に強い道糸とを加えた長さより長く、上下移動可能な保持部で前記２番目に強い道糸を保持し、前記おもり錐体筒の挿通部を挿通し、前記釣り針錐体筒の連結部に連結して形成され、
上下移動可能な保持部は、前記連動保持糸が、前記２番目に強い道糸の前記おもり錐体筒の上部に上下移動可能に形成され、
前記おもり錐体筒は、前記連動保持糸と連係できる挿通部と連結部の孔を備え、前記２番目に強い道糸に挿通され上下移動可能なおもりの上部に配置され、前記連動保持糸で前記おもり錐体筒の挿通部に挿通して形成され、
前記上下移動可能なおもりは、前記２番目に強い道糸に挿通されて形成され、
前記釣り針錐体筒は、前記連動保持糸と連係できる挿通部と連結部の孔を備え、前記３番目に強い道糸に挿通され前記釣り針の上部に配置され、前記連動保持糸で前記釣り針錐体筒の連結部に連結して形成され、
前記釣り針は、前記３番目に強い道糸に連結されて形成され、
釣り人が、前記１番強い道糸を引き寄せると、前記１番強い道糸から分岐した分岐２の前記連動保持糸は、上下移動可能な保持部で、支持され連係と連結した前記おもり錐体筒と前記釣り針錐体筒が、水圧に押され所定の位置に止まろうとしつつ、浮上しつつ、引き寄せられた前記釣り針は、前記釣り針錐体筒内に引き込まれ、前記釣り針の保護と根かかり防止出来る事を特徴とした釣り具根かかり防止器具。
（３）
（１）と（２）の記載釣り具根かかり防止器具を、さらに、前記１番強い道糸と前記２番目に強い道糸の連結部からの分岐１と分岐２において、
前記分岐１は、前記２番目に強い道糸と上下移動可能な保持部とおもり錐体筒と上下移動可能なおもりと１番強い道糸同等と釣り針錐体筒と釣り針で形成され
前記分岐２は、前記連動保持糸で、前記２番目に強い道糸と同等の引張強度で、前記２番目に強い道糸と前記３番目に強い道糸とを加えた長さより長く、上下移動可能な保持部で前記２番目に強い道糸を保持し、前記おもり錐体筒の挿通部を挿通し、前記釣り針錐体筒の連結部に連結して形成され、
前記１番強い道糸同等は、金属道糸にし、根かかりで切れない事を予測し、前記２番目強い道糸が切れ、前記上下移動可能なおもりは、紛失し、他の釣り具は、釣り人の元へ、回収出来る様に構成された事を特徴とした（１）から（２）に記載の釣り具根かかり防止器具。
【発明の効果】
【０００６】本発明の構成によれば、釣り針錐体筒とおもり錐体筒の釣り具根かかり防止器具は、釣り針錐体筒とおもり錐体筒は、連動保持糸で連係ができる挿通部と連結部の孔を備え、下方が広く上方が狭い筒で、釣り人が、１番強い道糸を引き寄せると、道糸の１番強い道糸と２番目に強い道糸の連結部から分岐１と分岐２に分岐され、分岐１は、２番目に強い道糸と上下移動可能な保持部とおもり錐体筒と上下移動可能なおもりと３番目に強い道糸と釣り針錐体筒と釣り針で形成され、
分岐２は、連動保持糸で、２番目に強い道糸と同等の引張強度で、２番目に強い道糸と３番目に強い道糸とを加えた長さより長く、上下移動可能な保持部で２番目に強い道糸を保持し、おもり錐体筒の挿通部を挿通し、釣り針錐体筒の連結部に連結して形成され、例えば、釣り針、または、釣り針錐体筒が根かかりした時は、３番目に強い道糸が切れ、釣り針が、紛失し、他の釣り具等は、手元に回収でき、例えば、上下可能なおもり、または、おもり錐体筒が、根かかり時は、２番目に強い道糸が切れ、上下移動可能なおもりが紛失し、他の釣り具等は、手元に回収できる機構を備えた釣り具根かかり防止器具になる。
【図面の簡単な説明】
【０００７】
【図１】本発明の第１実施形態に係る釣り具根かかり防止器具を前から見た前面代表斜視図である。
【図２】本発明の第２実施形態に係る釣り具根かかり防止器具を前から見た前面斜視図である。
【図３】本発明の第２実施形態に係る釣り具根かかり防止器具を上から見た図で断面図方向を表示した図である。
【図４】本発明の第２実施形態に係る釣り具根かかり防止器具を底面から見た図である。
【図５】本発明の第２実施形態に係る釣り具根かかり防止器具を前面から見た図である。
【図６】本発明の第２実施形態に係る釣り具根かかり防止器具を後面から見た図である。
【図７】本発明の第２実施形態に係る釣り具根かかり防止器具を右面から見た図である。
【図８】本発明の第２実施形態に係る釣り具根かかり防止器具を左面から見た図である。
【図９】本発明の第２実施形態に係る釣り具根かかり防止器具を図２で表示した断面図である。
【図１０】（第３実施形態）本発明の第３実施形態に係る釣り具根かかり防止器具を、釣り人３００が、遠投時は、上下移動可能なおもり６の重さで所定の位置に着き、海底等へ沈むと時は、上下移動可能なおもり６が先に沈み、次に釣り餌をつけた釣り針７が先に沈み、最後に釣り針錐体筒１が水圧に押されつつ沈む事で、釣り針７と釣り針錐体筒１が離れて状態を示す図である。
【図１１】本発明の第３実施形態に係る釣り具根かかり防止器具を、釣り人３００が、竿先を上方に立てて強く道糸を引き寄せた状態で、釣り針錐体筒１は、水圧に押され所定の位置に止ろうとしつつ、浮上しつつ、釣り針７は、引き寄せられ釣り針錐体筒１に挿入されて覆い釣り針を保護と根かかり防止を示す図である。
【図１２】（第４実施形態）本発明の第４実施形態に係る釣り具根かかり防止器具の、釣り針錐体筒１を支持する連動保持糸５が、上下移動可能な保持部５２から適宜に長さを要し、釣り針錐体筒１を支持し、連結した状態で海底等に沈んだ状態で釣り針７と釣り針錐体筒１の間隔を保持した状態を示す図である。
【図１３】本発明の第４実施形態に係る釣り具根かかり防止器具の、釣り針錐体筒１を支持する連動保持糸５が、上下移動可能な保持部５２に保持連係し適宜に長さを要し、釣り針錐体筒１に連結した状態で、釣り人３００が、竿先を上方に立てて強く道糸を引き寄せた状態で、釣り針錐体筒１は、水圧に押され所定の位置に止まろうとしつつ、浮上しつつ、釣り針７は、引き寄せられ釣り針錐体筒１に挿入されて覆い釣り針７を保護と根かかり防止を示す図である。
【図１４】（第５実施形態）本発明の第５実施形態に係る釣り具根かかり防止器具を、釣り人３００が、遠投時と海底等に沈んでいく様子を示した図である。
【図１５】本発明の第５実施形態に係る釣り具根かかり防止器具を、釣り人３００が、遠投後に海底等でそれぞれの錐体筒１と釣り針７が間隔あることを示した図である。
【図１６】本発明の第５実施形態に係る釣り具根かかり防止器具を、釣り人３００が、１番強い道糸２を引き上げる際にそれぞれの錐体筒１が水圧に押されて釣り針７とおもり６を保護した状態を示す図である。
【図１７】本発明の第５実施形態に係る釣り具根かかり防止器具を、釣り人３００が、１番強い道糸２を引き上げる際に釣り針錐体筒１が根かかりして３番目に強い道糸４が切れ釣り針７が紛失し、他の釣り具は、手元に戻る状態を示した図である。
【図１８】本発明の第５実施形態に係る釣り具根かかり防止器具を、釣り人３００が、１番強い道糸２を引き上げる際におもり錐体筒１が根かかりし、２番目に強い道糸３が切れて上下移動可能なおも６を紛失し、他の釣り具は手元に戻る状態を示した図である。
【図１９】本発明の第５実施形態に係る釣り具根かかり防止器具を、釣り針錐体筒１を保持する道糸連動保持糸５が、釣り針錐体筒１の釣り針錐体筒の連結部５５に保持状態を詳細に示した図である。
【図２０】本発明の第５実施形態に係る釣り具根かかり防止器具を、針結び糸３番目に強い糸４が、切れ、釣り針錐体筒１の釣り針錐体筒の連結部５５に連結し、釣り針７が切れた状態を詳細に示した図である。
【図２１】本発明の第５実施形態に係る釣り具根かかり防止器具を、釣り人３００が、１番強い道糸２を引き上げ時に、釣り針錐体筒１が、岩１００に根かかりして、３番目に強い道糸４が切れた状態を示した図である。
【図２２】（第６実施形態）本発明の第６実施形態に係る釣り具根かかり防止器具を、釣り人３００が、１番強い道糸２を引き上げ時に、岩１００に釣り針錐体筒１が根かかりし、２番目に強い道糸３が切れた状態で上下可能なおもり６が紛失を示した図である。
【図２３】本発明の第６実施形態に係る釣り具根かかり防止器具を、釣り人３００が、１番強い道糸２を引き上げ時に、岩１００に釣り針錐体筒１が根かかりし、２番目に強い道糸３が切れた状態で上下可能なおもり６が紛失を示した図である。
【図２４】（第７実施形態）本発明の第７実施形態に係る釣り具根かかり防止器具を、おもり錐体筒１が、おもりを保護した状態を詳細に示した図である。
【図２５】本発明の第７施形態に係る釣り具根かかり防止器具を、おもり錐体筒１が、根かかりし、２番目に強い道糸が３切れ、上下移動可能なおもり６が落下した状態を詳細に示した図である。
【図２６】（第８実施形態）本発明の第８実施形態に係る釣り具根かかり防止器具での、岩１００の根係をしない場所で、連動保持糸５が釣り針錐体筒１に釣り針錐体筒の連結部５５連結状態を示した状態を詳細に示す図である。
【図２７】本発明の第８実施形態に係る釣り具根かかり防止器具の、釣り針錐体筒１が、釣り針を保護した状態を詳細に示す図である。
【図２８】（第９実施形態）本発明の第９実施形態に係る釣り具根かかり防止器具を、釣り人が、おもり錐体筒１を使用せずに、遠投時と海底等に沈む時と海底等に着地した状態を示した図である。
【０００８】本発明の第１実施形態から第９実施形態の説明において、同一の構成には同一の符号を付し、その説明を省略又は簡略する。
（釣り具根かかり防止器具１の構成）
本発明の第１〜第９実施形態に係る釣り具根かかり防止器具の構成に基づいて説明する。【０００９】  ［図１］
第１実施形態
本発明の第１実施形態に係る釣り具根かかり防止器具を、前から見た斜視図である。
本発明の第１実施形態に係る釣り具根かかり防止器具を、図に向かって下から説明すると、側面が見えるだけ、上部には、錐体筒糸挿通口１１が説明された斜視図である。
［図２］
第２実施形態
本発明の第２実施形態に係る釣り具根かかり防止器具を、前から見た斜視図である。
本発明の第２実施形態に係る釣り具根かかり防止器具を、図に向かって下から説明すると、下部中央に錐体筒挿通部連結孔１２があり、上部には、錐体筒糸挿通口１１が説明された斜視図である。
［図３］
本発明の第２実施形態に係る釣り具根かかり防止器具を上から見た図で断面図方向を示した図である。
本発明の第２実施形態に係る釣り具根かかり防止器具を、図に向かって下から説明すると、中央に錐体筒挿通部連結孔１２があり、図の中央には、錐体筒糸挿通口１１が説明された上から見た図であり、断面図方向を示した図である。
［図４］
本発明の第２実施形態に係る釣り具根かかり防止器具を下面から見た図である。
本発明の第２実施形態に係る釣り具根かかり防止器具を、図に向かって下から説明すると、それぞれの錐体筒１の下部に厚みが周囲を囲む形状が見え、中央には、錐体筒糸挿通口１１があり、上部中央に錐体筒挿通部連結孔１２が説明された下から見た図である。
［図５］
本発明の第２実施形態に係る釣り具根かかり防止器具を前面から見た図である。
本発明の第２実施形態に係る釣り具根かかり防止器具を、図に向かって下から説明すると、中央下部に錐体筒挿通部連結孔１２が見え、上部には、錐体筒糸挿通口１１が見える前から見た図である。
［図６］
本発明の第２実施形態に係る釣り具根かかり防止器具を後面から見た図である。
本発明の第２実施形態に係る釣り具根かかり防止器具を、図に向かって下から説明すると、上部に錐体筒糸挿通口１１が見える後から見た図である。
［図７］
本発明の第２実施形態に係る釣り具根かかり防止器具を右面から見た図である。
本発明の第２実施形態に係る釣り具根かかり防止器具を、図に向かって下から説明すると、左下部に錐体筒挿通部連結孔１２が見え、上部には、錐体筒糸挿通口１１が見える右から見た図である。
［図８］
本発明の第２実施形態に係る釣り具根かかり防止器具を左面から見た図である。
本発明の第２実施形態に係る釣り具根かかり防止器具を、図に向かって下から説明すると、右下部に錐体筒挿通部連結孔１２が見え、上部には、錐体筒糸挿通口１１が見える左から見た図である。
［図９］
本発明の第２実施形態に係る釣り具根かかり防止器具を図２で表示した断面図である。
本発明の第２実施形態に係る釣り具根かかり防止器具を、図に向かって下から説明すると、中央下部に錐体筒挿通部連結孔１２が見え、上部に向かって錐体筒になって、上方に向かって錐体筒糸挿通口１１の筒の形状が見え、左右には、錐体筒の厚みを表示した図２に示す断面図の説明図である。
［図１０］
（第３実施形態）
本発明の第３実施形態に係る釣り具根かかり防止器具を、釣り人３００が、遠投時は、上下移動可能なおもり６の重さで所定の位置に着き、海底等へ沈むと時は、上下移動可能なおもり６が先に沈み、次に釣り餌をつけた釣り針７が先に沈み、最後に釣り針錐体筒１が水圧に押されつつ沈む事で、釣り針７と釣り針錐体筒１が離れて状態を示す図である。
本発明の第３実施形態に係る釣り具根かかり防止器具を、図に向かって右ら説明すると、１番強い道糸２が１番強い道糸連結部フックサルカン８に連結し、２番目に強い道糸が、連結部に連結し、上下移動可能なおもり６を挿通し、連結部がおもり糸結びフックサルカン８１連結し、３番目強い道糸４が連結部のおもり糸結びフックサルカン８１に連結し、釣り針錐体筒１の錐体筒挿通口１１を挿通し、釣り針７を連結した状態で、釣り針７と釣り針錐体筒１が離れて状態を示す図である。
［図１１］
本発明の第３実施形態に係る釣り具根かかり防止器具を、釣り人３００が、竿先を上方に立てて強く道糸を引き寄せた状態で、釣り針錐体筒１は、水圧に押され所定の位置に止ろうとしつつ、浮上しつつ、釣り針７は、引き寄せられ釣り針錐体筒１に挿入されて覆い釣り針７を保護と根かかり防止を示す図である。
本発明の第３実施形態に係る釣り具根かかり防止器具を、図に向かって右ら説明すると、図に向かって右ら説明すると、１番強い道糸２が１番強い道糸連結部フックサルカン８に連結し、上下移動可能なおもり６を支持する２番目に強い道糸が、連結部に連結し、上下移動可能なおもり６を挿通し、連結部がおもり糸結びフックサルカン８１連結し、３番目強い道糸４が、連結し、釣り針錐体筒１の錐体筒挿通口１１を挿通し、釣り針７を連結した状態で、釣り人３００が、竿先を上方に立てて強く道糸を引き寄せた状態で、釣り針錐体筒１は、水圧に押され所定の位置に止ろうとしつつ、浮上しつつ、分岐１に支持される釣り針７は、引き込まれ釣り針錐体筒１に覆われ保護と根かかり防止を示す図である。
［図１２］
（第４実施形態）
本発明の第４実施形態に係る釣り具根かかり防止器具の、釣り針錐体筒１を支持する連動保持糸５が、上下移動可能に保持部５２に連係し適宜に長さを要し、釣り針錐体筒１を支持し、連結した状態で海底等に沈んだ状態で釣り針７と釣り針錐体筒１の間隔を保持した状態を示す図である。
本発明の第４実施形態に係る釣り具根かかり防止器具を、図に向かって右ら説明すると、道糸の一番強い道糸２から、分岐され、分岐２の連動保持糸５が、１番強い道糸連結部フックサルカン８の上部に上下可能な保持部５２で連係した状態で、釣り針錐体筒１の錐体筒挿通部連結孔に連結され、分岐１は１番強い道糸連結部フックサルカン８に２番目に強い道糸３が連結し、上下移動可能なおもり６を挿通し、おもり糸結び下部フックサルカン８２で連結し、３番目に強い道糸４に、釣り針錐体筒１の錐体筒挿通口１１を挿通し、釣り針７に連結され、連動保持糸５に連結した釣り針錐体筒１が釣り針７との間隔をとれた状態を示す説明する図である。
［図１３］
本発明の第４実施形態に係る釣り具根かかり防止器具の、釣り針錐体筒１を支持する連動保持糸５が、道糸に上下移動可能に保持部５２に連係し適宜に長さを要し、釣り針錐体筒１に連結した状態で、釣り人３００が、竿先を上方に立てて強く道糸を引き寄せた状態で、釣り針錐体筒１は、水圧に押され所定の位置に止まろうとしつつ、浮上しつつ、釣り針７は、引き寄せられ釣り針錐体筒１に引き込まれ覆われ釣り針７を保護と根かかり防止を示す図である。
本発明の第４実施形態に係る釣り具根かかり防止器具を、図に向かって右ら説明すると、釣り人３００が、竿先を上方に立てて強く道糸を引き寄せた状態で、道糸の一番強い道糸２から、分岐され、分岐２の連動保持糸５が、１番強い道糸連結部フックサルカン８に当接し釣り針錐体筒１の錐体筒挿通部連結孔に連結され、分岐１は１番強い道糸連結部フックサルカン８に２番目に強い道糸３が連結して上下移動可能なおもり６を挿通しておもり糸結び下部フックサルカン８２当接し、釣り針７は、引き寄せられ釣り針錐体筒１に引き込まれ覆われ釣り針７を保護と根かかり防止を示す図である。
［図１４］
（第５実施形態）
本発明の第５実施形態に係る釣り具根かかり防止器具を、釣り人３００が、遠投時と海底等に沈んでいく様子を示した図である。
本発明の第３実施形態に係る釣り具根かかり防止器具の使用要領図で、釣り人３００が、釣り具根かかり防止器具を使用し、遠投時と海底・ダム湖底・川底・湖底へ向かって沈む図である、
本発明の第５実施形態に係る釣り具根かかり防止器具を、図に向かって右から説明すると、１番強い糸道糸２は、連結部２２が、１番強い道糸連結部フックサルカン８に連結し、分岐１と分岐２に分岐され、分岐１は、２番目に強い道糸３で、おもり糸結び上部サルカン８１連結し、上下移動可能な保持部５２と連係し、おもり錐体筒１の錐体筒糸挿通口１１から挿通し、上下移動可能なおもり６を挿通し、おもり支持糸下部連結部３２がおもり糸結び下部フックサルカン８２連結し、３番目に強い糸４は、針結び糸連結部４１がおもり糸結び下部フックサルカン８２連結し、釣り針錐体筒１の錐体筒糸挿通口１１から挿通し、釣り針７を連結されて形成され、分岐２は、連動保持糸５で、連動保持糸上部連結部５１が１番強い道糸連結部フックサルカン８に連結し、上下移動可能な保持部５２は、２番目に強い糸３のおもり錐体筒１の上部を保持し、おもり錐体筒１のおもり錐体筒の挿通部５３を挿通し、連動保持糸フックサルカン通し部５４を挿通し、（詳細図２３記載）釣り針錐体筒１の釣り針錐体筒の連結部５５（詳細図１８記載）に連結されて形成され、また、分岐１と分岐２に分岐されたそれぞれの長さを表示すると、釣り針７を連結する３番目に強い糸４の長さは、魚が餌を食べやすい適宜な長さにし、上下移動可能なおもり６を支持する２番目に強い糸３の長さは、針結び糸３番目に強い糸４の長さより適宜に長くし、連動保持糸上部連結部５１から連動保持糸上下移動結束部５２の間の長さは、針結び糸３番目の強い糸４の長さより適宜に長くし、連動保持糸上下移動可能な連結部５２から連動保持糸錐体筒を取り付け部５５間の長さは、上下移動可能なおもり６を支持する２番目に強い糸３より適宜に長くし、連動保持糸５の全長は、釣り針７を連結する３番目に強い糸４と上下移動可能なおもり６を支持する２番目に強い糸３を加えた長さより適宜に長くする事を示し、釣り針錐体筒１とおもり錐体筒１を保持支持する連動保持糸５の全長を示し、遠投時と海底等に沈んでいく様子を示した図で、また、器具の説明と符号の説明の中に連結部の表示名について、１番強い糸道糸と道糸結びフックサルカンの連結部２２・連動保持糸フックサルカン通し部５４・おもり糸結び上部サルカン８１・おもり糸結び下部フックサルカン８２等の連結部は、指定する物でなく用途に似合った連結部を使用できる。
［図１５］
本発明の第５実施形態に係る釣り具根かかり防止器具を、釣り人３００が、遠投後に海底等で釣り針錐体筒１と釣り針７が間隔あることを示した図である。
本発明の第５実施形態に係る釣り具根かかり防止器具が、前文図９で説明した通りの形態で、釣り人３００が、魚を釣る状態で底２００にある釣り針錐体筒１と釣り針７が間隔を保持した状態を示した図である。
［図１６］
本発明の第５実施形態に係る釣り具根かかり防止器具を、釣り人３００が、１番強い道糸２を引き上げる際にそれぞれの錐体筒１が水圧に押されて釣り針７と上下移動可能なおも６を保護した状態を示す図である。
本発明の第５実施形態に係る釣り具根かかり防止器具を釣り人３００が、１番強い道糸２を引き寄せおもり錐体筒１と釣る針錐体筒１が水圧に押され釣り針７が引き寄せられり上下移動可能なおも６と釣り針７を覆った状態を示した図である。
［図１７］
本発明の第５実施形態に係る釣り具根かかり防止器具を、釣り人３００が、１番強い道糸２を引き上げる際に、針錐体筒１が根かかりして３番目に強い道糸４が切れ釣り針７が紛失し、連動保持糸５に保持され、他の釣り具は、手元に戻る状態を示した図である。
本発明の第５実施形態に係る釣り具根かかり防止器具を釣り人３００が、１番強い道糸２を引き寄せ時に、釣り針錐体筒１が根かかりし、３番目に強い道糸４が切れ釣り針７を紛失し、連動保持糸５に保持され、他の釣り具は、手元に戻って来る状態を示した図である。
［図１８］
本発明の第５実施形態に係る釣り具根かかり防止器具を、釣り人３００が、１番強い道糸２を引き上げる際におもり錐体筒１が根かかりし、２番目に強い道糸３が切れて上下移動可能なおも６を紛失し、他の釣り具は手元に戻る状態を示した図である。
本発明の第５実施形態に係る釣り具根かかり防止器具を、釣り人３００が、１番強い道糸２を引き上げる際におもり錐体筒１が根かかりし、２番目に強い道糸３が切れて上下移動可能なおも６を紛失し、他の釣り具は手元に戻る状態を示した図である。
［図１９］
本発明の第５実施形態に係る釣り具根かかり防止器具を、釣り針錐体筒１を保持する道糸連動保持糸５が、釣り針錐体筒１の釣り針錐体筒の連結部５５に保持状態を詳細に示した図である。
本発明の第４実施形態に係る釣り具根かかり防止器具の釣り針錐体筒１を連動保持糸５が、連結状況図で、図に向かって右から説明すると、連動保持糸５は、釣り針錐体筒１の下部か挿入し、上部の錐体筒糸挿通口１１から外に出て、外側を下方に下がって錐体筒挿通部連結部孔１２の釣り針錐体筒の連結部５５に連結される状態を示した図である、また、錐体筒挿通部連結孔１２は、釣り針錐体筒１とおもり錐体筒１の外側に突出して備えでもよい。
［図２０］
本発明の第５実施形態に係る釣り具根かかり防止器具を、針結び糸３番目に強い糸４が、切れ、釣り針錐体筒１の釣り針錐体筒の連結部５５に連結し、釣り針７が切れた状態を詳細に示した図である。
本発明の第５実施形態に係る釣り具根かかり防止器具の釣り針錐体筒１を連動保持糸５が、連結状況図で、図に向かって右から説明すると、連動保持糸５は、釣り針錐体筒１の下部か挿入し、上部の錐体筒糸挿通口１１から外に出て、外側を下方に下がって錐体筒挿通部連結部孔１２の釣り針錐体筒の連結部５５に連結され、３番強い糸４が切れた状態で釣り針７が紛失されるのを詳細示した図である。
［図２１］
本発明の第５実施形態に係る釣り具根かかり防止器具を、釣り人３００が、１番強い道糸２を引き上げ時に、釣り針錐体筒１が、岩１００に根かかりして、３番目に強い道糸４が切れた状態を示した図である。
本発明の第５実施形態に係る釣り具根かかり防止器具を釣り人３００が、１番強い道糸２を引き上げ時に、岩１００に釣り針錐体筒１が根かかりし、針結び糸３番強い糸４が切れ、釣り針７は紛失し、他の釣り具は、連動保持糸５に保持されて手元に戻って来る状態を示した図である。
［図２２］
（第６実施形態）
本発明の第６実施形態に係る釣り具根かかり防止器具を、釣り人３００が、１番強い道糸２を引き上げ時に、岩１００に釣り針錐体筒１が根かかりし、２番目に強い道糸３が切れた状態で上下可能なおもり６が紛失を示した図である。
本発明の第６実施形態に係る釣り具根かかり防止器具を釣り人３００が、１番強い道糸を引き上げ時に、岩１００に釣り針錐体筒１が根かかりし、１番強い道糸同等４´を使用し、おもり支持糸２番目に強い糸３が、切れる様にし、おもり６が紛失し、他の釣り具は手元に戻る状態を示した図で、１番強い道糸同等４´は、魚が、釣り針と連結している道糸を歯で噛み切る事に備えた金属道糸ある。
［図２３］
本発明の第６実施形態に係る釣り具根かかり防止器具を、釣り人３００が、１番強い道糸２を引き上げ時に、岩１００に釣り針錐体筒１が根かかりし、２番目に強い道糸３が切れた状態で上下可能なおもり６が紛失を示した図である。
本発明の第６実施形態に係る釣り具根かかり防止器具を、釣り人３００が、１番強い道糸２を引き上げ時に、岩１００に釣り針錐体筒１が根かかりし、おもり支持糸２番目に強い糸３が、切れる様にし、魚が、釣り針と連結している道糸を歯で噛み切る事を想定して、１番強い道糸同等４´している事で、おもり６が紛失し、他の釣り具は手元に戻る状態を示した図である。
［図２４］
（第７実施形態）
本発明の第７実施形態に係る釣り具根かかり防止器具を、おもり錐体筒１が、上下移動可能なおもり６を保護した状態を詳細に示した図である。
本発明の第７実施形態に係る釣り具根かかり防止器具を図に向かって右上から説明すると、分岐２の連動保持糸５がおもり錐体筒の挿通部５３を挿通し、連動保持糸フックサルカン通し部５４を挿通している、分岐１の２番目に強い道糸３は、錐体筒糸挿通口１１から挿通し、上下可能なおもり６を挿通し、おもり糸結び下部フックサルカン８２に連結し、３番目に強い道糸４の針結び糸連結部４１がおもり糸結び下部フックサルカン８２に連結し、を示した詳細に示した図である。
［図２５］
本発明の第７施形態に係る釣り具根かかり防止器具を、おもり錐体筒１が、根かかりし、切れ、上下移動可能なおもり６が落下した状態を詳細に示した図である。
本発明の第７施形態に係る釣り具根かかり防止器具を図に向かって右から説明すると、分岐２の連動保持糸５がおもり錐体筒の挿通部５３を挿通し、連動保持糸フックサルカン通し部５４を挿通している、分岐１の２番目に強い道糸３が切れて、上下移動可能なおもりが、紛失する状態を示した詳細に示した図である。
［図２６］
（第８実施形態）
本発明の第８実施形態に係る釣り具根かかり防止器具での、岩１００の根係をしない場所で、連動保持糸５が釣り針錐体筒１に釣り針錐体筒の連結部５５連結状態を示した状態を詳細に示す図である。
本発明の第８実施形態に係る釣り具根かかり防止器具を図に向かって右上から説明すると、分岐２の連動保持糸５が、釣り針錐体筒１の錐体筒糸挿通口１１から挿通し、下部の釣り針錐体筒の連結部５５に連結している、分岐１の２番目に強い道糸３は、釣り針錐体筒１の錐体筒糸挿通口１１から挿通し、釣り針７と連結している状態を詳細に示した図であり、また、錐体筒挿通部連結部孔１２は、おもり錐体筒１と釣り針錐体筒１の突起した状態でも良い。
［図２７］
本発明の第８実施形態に係る釣り具根かかり防止器具での、岩１００の根係をしない場所で、釣り針錐体筒１が、釣り針７を保護した状態を詳細に示す図である。
本発明の第８実施形態に係る釣り具根かかり防止器具を、に向かって右から説明すると、分岐２の連動保持糸５が、釣り針錐体筒１の錐体筒糸挿通口１１から挿通し、下部の釣り針錐体筒の連結部５５に連結している、分岐１の２番目に強い道糸３は、釣り針錐体筒１の錐体筒糸挿通口１１から挿通し、釣り針７と連結している状態を詳細に示した図である。
［図２８］
（第９実施形態）
本発明の第９実施形態に係る釣り具根かかり防止器具を、岩１００の根係をしない場所で、釣り人３００が、おもり錐体筒１を使用せずに、遠投時と海底等に沈む時と海底等に着地した状態を示した図である。
本発明の第９実施形態に係る釣り具根かかり防止器具を釣り人３００が、おもり錐体筒１を使用せずに、魚を釣る状態で底２００にある釣り針錐体筒１と釣り針７が間隔を保持した状態を示した図である。
【実施例】
【００１０】以上、本発明は前記実施形態に係る根かかり取り器具は、カーボン、チタン、樹脂、アルミ、鉄、ステン、合金、複合版、木製、合成布等の適宜な材料で形成することが出来、また、おもり錐体筒と釣り針錐体筒は、円錐・四角錘・三角錘、半円形等の下方が広く上方が狭い筒状ものである。【００１１】なお、本発明は前記実施形態に限定されるものでなく、本発明の目的を達成できる範囲での変形、改良等は本発明に含まれるものである。【００１２】本発明の第１〜第９実施形態に係る釣り具根かかり防止器具を使用する状態を説明のとおり第１実施形態から第８実施形態は、釣り人３００が釣り合わせで上げる際に、おもり錐体筒１と釣り針錐体筒１に水圧がかかり釣り針７は、引き寄せられ釣り針錐体筒１に引き込まれ、釣り針７の保護と根かかり防止出来、分岐２の道糸連動保持糸５が分岐１より長さが長い事で、根かかりしても負荷がかからずに、釣り具を回収するための手段の機構で、例えば、２番目に強い糸３、または、３番目に強い糸４が、根かかりで切れた際は、上下移動可能なおもり６、または釣り針７の紛失になり、最小限な釣り具損失で済む、事で、釣り場の環境や魚の生態系にも応援が望め、エコ環境にも繋がる釣り具根かかり防止器具。
【符号の説明】
【００１３】１        釣り針錐体筒
１        おもり錐体筒
１１      錐体筒挿通口
１２      錐体筒挿通部連結孔
２        １番強い道糸
２２      １番強い糸道糸と道糸結びフックサルカンの連結部
３        ２番目に強い道糸
３１      おもり支持糸上部連結部
３２      おもり支持糸下部連結部
４        ３番目強い道糸
４´      １番強い道糸同等
４１      針結び糸連結部
５        連動保持糸
５１      連動保持糸上部連結部
５２      上下移動可能な保持部
５３      おもり錐体筒の挿通部
５４      連動保持糸フックサルカン通し部
５５      釣り針錐体筒の連結部
６        上下移動可能なおもり
７        釣り針
８        １番強い道糸連結部フックサルカン
８１      おもり糸結び上部サルカン
８２      おもり糸結び下部フックサルカン
１００    岩
２００    底
３００    釣り人
【図１】
2018174936.tif 000003
【図２】
2018174936.tif 000004
【図３】
2018174936.tif 000005
【図４】
2018174936.tif 000006
【図５】
2018174936.tif 000007
【図６】
2018174936.tif 000008
【図７】
2018174936.tif 000009
【図８】
2018174936.tif 000010
【図９】
2018174936.tif 000011
【図１０】
2018174936.tif 000012
【図１１】
2018174936.tif 000013
【図１２】
2018174936.tif 000014
【図１３】
2018174936.tif 000015
【図１４】
2018174936.tif 000016
【図１５】
2018174936.tif 000017
【図１６】
2018174936.tif 000018
【図１７】
2018174936.tif 000019
【図１８】
2018174936.tif 000020
【図１９】
2018174936.tif 000021
【図２０】
2018174936.tif 000022
【図２１】
2018174936.tif 000023
【図２２】
2018174936.tif 000024
【図２３】
2018174936.tif 000025
【図２４】
2018174936.tif 000026
【図２５】
2018174936.tif 000027
【図２６】
2018174936.tif 000028
【図２７】
2018174936.tif 000029
【図２８】
2018174936.tif 000030